(57)【要約】【課題】タンク本体に対するポンプユニットの取付作業性を向上することのできる燃料タンクを提供する。【解決手段】燃料タンク１０は、タンクホール２２を有するタンク本体１２と、タンクホール２２からの挿入によりタンク本体１２の底部に配置されるポンプユニット１６とを備える。ポンプユニットは、燃料ポンプ３０及びマウント２８を有する。タンク本体１２の底部には、サブタンク１４が設けられる。サブタンク１４とマウント２８との間には、係合手段７５が設けられる。係合手段７５は、弾性を利用した相互の係合によって抜け止め状態に係合可能な係合突起と係合孔とにより構成される。サブタンク１４にマウント２８を取付ける際に、マウント２８を適正な取付位置に案内する案内手段を備える。【選択図】図１
2016164387.tif 000002
【特許請求の範囲】
【請求項１】
上面部に開口部を有するタンク本体と、
燃料ポンプ、及び、該燃料ポンプを保持するポンプ保持部材を有し、かつ、前記開口部からの挿入により前記タンク本体の底部に配置されるポンプユニットと、
を備える燃料タンクであって、
前記タンク本体の底部には、ユニット取付部材が設けられ、
前記ユニット取付部材と前記ポンプ保持部材との間には、ユニット取付部材にその上方からポンプ保持部材を下降させることによって取付可能とする係合手段が設けられ、
前記係合手段は、弾性を利用した相互の係合によって抜け止め状態に係合可能な被係合部と係合部とにより構成され、
前記ユニット取付部材に前記ポンプ保持部材を前記係合手段を介して取付ける際に、該ポンプ保持部材を適正な取付位置に案内する案内部材を備えている燃料タンク。
【請求項２】
請求項１に記載の燃料タンクであって、
前記案内部材は、前記ユニット取付部材及び前記ポンプ保持部材の少なくとも一方の部材に設けられ、上下方向に対して傾斜しかつ他方の部材の一部と摺動接触可能な傾斜部を有している燃料タンク。
【請求項３】
請求項２に記載の燃料タンクであって、
前記案内部材は、他方の部材の一部の入口側の開口幅を大きくするテーパー状の一対の傾斜部を有している燃料タンク。
【請求項４】
請求項１に記載の燃料タンクであって、
前記ユニット取付部材及び前記ポンプ保持部材のいずれか一方の部材に上下方向に延びる軸線を有する支持ピンが設けられ、
他方の部材に前記支持ピンに嵌合可能な嵌合部材が設けられ、
前記係合手段は、前記支持ピンと前記嵌合部材との間に設けられ、
前記支持ピン及び前記嵌合部材の少なくとも一方の部材が案内部材とされている燃料タンク。
【請求項５】
請求項１〜４のいずれか１つに記載の燃料タンクであって、
前記ユニット取付部材は、前記タンク本体の底部に配置され、前記燃料ポンプに吸入される燃料を貯留するサブタンクである燃料タンク。
【請求項６】
請求項５に記載の燃料タンクであって、
前記サブタンクが有する一対の側板部に対して、前記ポンプ保持部材の両側端部がそれぞれ前記係合手段を介して取付けられる燃料タンク。
【請求項７】
請求項１〜６のいずれか１つに記載の燃料タンクであって、
前記タンク本体の開口部に対する前記ポンプ保持部材の挿入方向の両側辺が、挿入方向に沿って延びる直線状に形成されている燃料タンク。
【発明の詳細な説明】
【技術分野】
【０００１】
本発明は、内燃機関用の燃料を貯留するタンク本体と、タンク本体内の燃料を内燃機関に圧送する燃料ポンプを有するポンプユニットとを備える燃料タンクに関する。
【背景技術】
【０００２】
従来の燃料タンクには、例えば、特許文献１に記載されたものがある。特許文献１の燃料タンクは、タンク本体とポンプユニットとサブタンクとを備えている。タンク本体は、上面部に開口部を有している。ポンプユニットは、燃料ポンプ、及び、燃料ポンプを保持するポンプ保持部材を有し、かつ、開口部からの挿入によりタンク本体の底部に配置される。サブタンクは、タンク本体の底部に配置され、燃料ポンプに吸入される燃料を貯留する。サブタンクとポンプ保持部材との間には、サブタンクにその上方からポンプ保持部材を下降させることによって取付可能とする係合手段が設けられている。係合手段は、弾性を利用した相互の係合によって抜け止め状態に係合可能な係止鉤と係止孔とにより構成されている。係止鉤はサブタンクに設けられ、係止孔はポンプ保持部材に設けられている。
【先行技術文献】
【特許文献】
【０００３】
【特許文献１】特開２００８−１７４０７４号公報
【発明の概要】
【発明が解決しようとする課題】
【０００４】
特許文献１によると、タンク本体の開口部からポンプユニットが挿入され、サブタンクの上方からポンプ保持部材が下降されることにより、係止鉤に係止孔が係合される。これによって、サブタンクにポンプ保持部材が取付けられる。この作業は、作業者の手作業で行われる。しかしながら、ポンプ保持部材を適正な取付位置に案内する案内部材が存在していないため、係止鉤に係止孔を注意深く位置合わせしつつ係合させる必要があった。このため、作業時間が長くかかったり、最悪時にはポンプユニットの取付けが不完全になったりする。また、タンク本体の開口部は、比較的小さく、作業者の手によってその大半が塞がれる。このため、係止鉤と係止孔とを係合する部分が作業者から見えづらい。また、タンク本体内が暗くなることによって、係止鉤と係止孔とを係合する部分が作業者から一層見えづらくなる。したがって、タンク本体内でのポンプユニットの取付作業性が悪いという問題があった。本発明が解決しようとする課題は、タンク本体に対するポンプユニットの取付作業性を向上することのできる燃料タンクを提供することにある。
【課題を解決するための手段】
【０００５】
第１の発明は、上面部に開口部を有するタンク本体と、燃料ポンプ、及び、該燃料ポンプを保持するポンプ保持部材を有し、かつ、前記開口部からの挿入により前記タンク本体の底部に配置されるポンプユニットと、を備える燃料タンクであって、前記タンク本体の底部には、ユニット取付部材が設けられ、前記ユニット取付部材と前記ポンプ保持部材との間には、ユニット取付部材にその上方からポンプ保持部材を下降させることによって取付可能とする係合手段が設けられ、前記係合手段は、弾性を利用した相互の係合によって抜け止め状態に係合可能な被係合部と係合部とにより構成され、前記ユニット取付部材に前記ポンプ保持部材を前記係合手段を介して取付ける際に、該ポンプ保持部材を適正な取付位置に案内する案内部材を備えている。この構成によると、タンク本体へのポンプユニットの取付けに際して、タンク本体の開口部からポンプユニットが挿入され、ユニット取付部材の上方からポンプ保持部材が下降されることにより、係合手段の被係合部に係合部が係合される。これによって、ユニット取付部材にポンプ保持部材が取付けられる。ところで、ポンプ保持部材を適正な取付位置に案内する案内部材を備えている。このため、ユニット取付部材にポンプ保持部材を係合手段を介して取付ける際に、ユニット取付部材にポンプ保持部材をラフに位置合せしつつ係合させていくことで、案内部材によりポンプ保持部材が適正な取付位置に案内され、係合手段の被係合部に係合部が容易にかつ適正に係合される。したがって、タンク本体に対するポンプユニットの取付作業がブラインド作業であっても、タンク本体にポンプユニットを短時間でかつ確実に取付けることができる。よって、タンク本体に対するポンプユニットの取付作業性を向上することができる。
【０００６】
第２の発明は、第１の発明において、前記案内部材は、前記ユニット取付部材及び前記ポンプ保持部材の少なくとも一方の部材に設けられ、上下方向に対して傾斜しかつ他方の部材の一部と摺動接触可能な傾斜部を有している。この構成によると、案内部材の傾斜部と他方の部材の一部との摺動接触によって、ポンプ保持部材を適正な取付位置に案内することができる。
【０００７】
第３の発明は、第２の発明において、前記案内部材は、他方の部材の一部の入口側の開口幅を大きくするテーパー状の一対の傾斜部を有している。この構成によると、案内部材の一対の傾斜部の開口幅方向に関して、ポンプ保持部材を適正な取付位置に案内することができる。
【０００８】
第４の発明は、第１の発明において、前記ユニット取付部材及び前記ポンプ保持部材のいずれか一方の部材に上下方向に延びる軸線を有する支持ピンが設けられ、他方の部材に前記支持ピンに嵌合可能な嵌合部材が設けられ、前記係合手段は、前記支持ピンと前記嵌合部材との間に設けられ、前記支持ピン及び前記嵌合部材の少なくとも一方の部材が案内部材とされている。この構成によると、支持ピンと嵌合部材とを嵌合する際、支持ピン及び嵌合部材の少なくとも一方の部材を案内部材として、ポンプ保持部材を適正な取付位置に案内することができる。
【０００９】
第５の発明は、第１〜４のいずれかの発明において、前記ユニット取付部材は、前記タンク本体の底部に配置され、前記燃料ポンプに吸入される燃料を貯留するサブタンクである。この構成によると、サブタンクをユニット取付部材と兼用することによって、部品点数の増加を抑制することができる。
【００１０】
第６の発明は、第５の発明において、前記サブタンクが有する一対の側板部に対して、前記ポンプ保持部材の両側端部がそれぞれ前記係合手段を介して取付けられる。この構成によると、サブタンクの一対の側板部にポンプ保持部材の両側端部をそれぞれ係合手段を介して取付けることができる。
【００１１】
第７の発明は、第１〜６のいずれかの発明において、前記タンク本体の開口部に対する前記ポンプ保持部材の挿入方向の両側辺が、挿入方向に沿って延びる直線状に形成されている。この構成によると、タンク本体の開口部に対するポンプユニットの挿入時において、タンク本体の開口部にポンプ保持部材の両側辺が引っ掛かることを抑制することができる。これにより、タンク本体内にポンプユニットを容易に挿入することができる。
【図面の簡単な説明】
【００１２】
【図１】実施形態１にかかる燃料タンクを示す側断面図である。
【図２】燃料タンクを示す正断面図である。
【図３】サブタンク及びポンプユニットを示す側面図である。
【図４】サブタンク及びポンプユニットを一部破断して示す正面図である。
【図５】サブタンクに対するポンプユニットの取付直前の状態を示す側面図である。
【図６】サブタンクに対するポンプユニットの取付直前の状態を一部破断して示す正面図である。
【図７】サブタンクを示す平面図である。
【図８】マウントを示す下面図である。
【図９】実施形態２にかかるポンプユニットの取付け状態を示す正面図である。
【図１０】実施形態３にかかる燃料タンクのポンプユニットの周辺部を示す側面図である。
【図１１】サブタンクに対するポンプユニットの取付直前の状態を示す側面図である。
【図１２】マウントを示す下面図である。
【図１３】実施形態４にかかる燃料タンクのポンプユニットの周辺部を示す側面図である。
【図１４】サブタンクに対するポンプユニットの取付直前の状態を示す側面図である。
【図１５】サブタンクを示す平面図である。
【図１６】実施形態５にかかるサブタンクに対するポンプユニットの取付直前の状態を示す一部破断して示す正面図である。
【図１７】係合手段を一部破断して示す正断面図である。
【図１８】係合手段を一部破断して示す側面図である。
【図１９】実施形態６にかかるサブタンクに対するポンプユニットの取付直前の状態を示す一部破断して示す正面図である。
【図２０】係合手段を一部破断して示す正断面図である。
【図２１】係合手段を一部破断して示す側面図である。
【図２２】サブタンクを示す平面図である。
【図２３】マウントを示す下面図である。
【発明を実施するための形態】
【００１３】
以下、本発明を実施するための形態について図面を用いて説明する。
【００１４】
［実施形態１］実施形態１に係る燃料タンクは、自動車等の車両に搭載される内燃機関用の燃料を貯留する燃料タンクである。各図に矢印で示される上下方向は、車両に搭載された状態での燃料タンクの重力方向いわゆる天地方向を示している。また、説明の都合上、燃料タンクの前後方向及び左右方向については、各図に矢印で示すように定めるが、燃料タンク及び燃料ポンプの配置方向を特定するものではない。図１は燃料タンクを示す側断面図、図２は同じく燃料タンクを示す正断面図である。図１に示すように、燃料タンク１０は、タンク本体１２とサブタンク１４とポンプユニット１６とフランジユニット１８を備えている。
【００１５】
タンク本体１２を説明する。タンク本体１２は、上面部２０及び底面部２１を有する中空容器状に形成されている。上面部２０には、円形孔からなるタンクホール２２が形成されている。底面部２１は、車両に対する燃料タンク１０の搭載状態において水平状態におかれる。タンク本体１２は、樹脂製でもよいし、金属製でもよい。なお、タンクホール２２は本明細書でいう「開口部」に相当する。
【００１６】
次に、サブタンク１４を説明する。サブタンク１４は、タンク本体１２の底部すなわち底面部２１上に設置されている。サブタンク１４は、タンクホール２２の下方付近に配置されている。図３はサブタンク及びポンプユニットを示す側面図、図４は同じく一部破断して示す正面図、図５はサブタンクに対するポンプユニットの取付直前の状態を示す側面図、図６は同じく一部破断して示す正面図、図７はサブタンクを示す平面図である。
【００１７】
図７に示すように、サブタンク１４は、平面視で前後方向を長くする長四角形状の容器状に形成されている。サブタンク１４は、底板部２４と左右の側板部２５と前板部２６とを有しており、その上面及び後端面が開放されている。底板部２４は、タンク本体１２の底面部２１上に固定されている（図４参照）。両側板部２５は、前後方向に延びる帯板状に形成され、左右対称状で相互に平行をなしている。サブタンク１４は、タンク本体１２と協働して燃料を貯留する。サブタンク１４は、樹脂製でもよいし、金属製でもよい。なお、サブタンク１４は本明細書でいう「ユニット取付部材」に相当する。
【００１８】
次に、ポンプユニット１６を説明する。図１及び図２に示すように、ポンプユニット１６は、サブタンク１４に取付けられることにより、タンク本体１２内の底部に水平状態で配置されている。ポンプユニット１６は、マウント２８及び燃料ポンプ３０等を備えている。図５及び図６に示すように、マウント２８は、例えば樹脂製で、取付板部３２と台座部３３とを有している。図８はマウントを示す下面図である。なお、サブタンク１４に対するポンプユニット１６の取付構造については後で説明する。
【００１９】
図８に示すように、取付板部３２は、前後方向を長くする長四角形板状に形成されている。取付板部３２は、左右に平行をなす両側辺３４、及び、前後に平行をなす前辺３５及び後辺３６を有している。取付板部３２の前側の左右の隅角部３７、及び、後側の左右の隅角部３８は、それぞれＲ形状に形成されている。前側の両隅角部３７の曲率半径は、後側の両隅角部３８の曲率半径よりも大きく設定されている。これにより、マウント２８の前後の向きが判別し易くなっている。また、台座部３３は、取付板部３２の左右方向の中央部の下面に形成されている。台座部３３は、断面横長四角形状で、前後方向に延在している（図５及び図６参照）。マウント２８の前端面の中央部には、平面視でＵ字状の切欠溝３９が形成されている。なお、マウント２８は本明細書でいう「ポンプ保持部材」に相当する。
【００２０】
図１及び図２に示すように、燃料ポンプ３０は、サブタンク１４内の燃料を吸入しかつ吐出する電動式の燃料ポンプである。燃料ポンプ３０の外形は、略円柱形状に形成されている。燃料ポンプ３０は、マウント２８の左右方向の中央部の上面側に対して、軸方向が前後方向となる横置き状態で保持されている（図３及び図４参照）。なお、燃料ポンプ３０の軸方向の一端部に設けられた燃料吸入口（不図示）は前方に指向され、その他端部に設けられた燃料吐出口（不図示）は後方へ指向されている。
【００２１】
図５に示すように、燃料ポンプ３０（詳しくは燃料吸入口）には、燃料吸入用の燃料フィルタ４０が接続されている。燃料フィルタ４０は、燃料ポンプ３０に吸入されるサブタンク１４内の燃料を濾過する。燃料フィルタ４０は、フィルタ部材４２と接続管４４とを備えている。フィルタ部材４２は、樹脂製の不織布等からなる上下２枚の濾過材４６の周縁部を溶着によりシール状態に接合することによって袋状に形成されている。フィルタ部材４２の外形は、平面視で前後方向を長くする長四角形状で、上下方向に偏平に形成されている。フィルタ部材４２の外周部には、濾過材４６の溶着によるフランジ状部４７が形成されている。なお、フィルタ部材４２は、１枚の濾過材が二つ折りされ、その折り曲げ部以外の残りの周辺部が溶着によりシール状態に接合されたものでもよい。また、フィルタ部材４２の内部空間には、フィルタ部材４２の袋形状を保持する樹脂製の内部保持部材（不図示）が配置されている。また、フィルタ部材４２の正面視（図４及び図６等においては、フランジ状部４７が省略されている。
【００２２】
接続管４４は、フィルタ部材４２の前端部上に配置されている。接続管４４は、樹脂製で、エルボ状に形成されている。接続管４４の一端部は、内部保持部材（不図示）に接続されかつフィルタ部材４２の内部空間に連通されている。接続管４４の他端部は、燃料ポンプ３０の燃料吸入口に接続されている。接続管４４は、マウント２８の切欠溝３９に嵌合されている（図８参照）。接続管４４により、フィルタ部材４２の内部空間と燃料ポンプ３０の燃料吸入口とが連通されている。また、フィルタ部材４２は、マウント２８の下側において水平状に配置されている。また、サブタンク１４に対するマウント２８の取付けにともない、フィルタ部材４２がサブタンク１４内の底部に配置されている（図３及び図４参照）。
【００２３】
図３に示すように、燃料ポンプ３０（詳しくは燃料吐出口）には、プレッシャレギュレータ５０が接続されている。プレッシャレギュレータ５０は、マウント２８の取付板部３２の後端部上に配置されている。プレッシャレギュレータ５０は、燃料ポンプ３０から吐出された燃料の圧力を調整し、その調整した燃料を吐出口５１から吐出し、余剰となった余剰燃料を排出口（不図示）からタンク本体１２内に排出する。
【００２４】
次に、フランジユニット１８を説明する。図１に示すように、フランジユニット１８は、タンク本体１２のタンクホール２２に装着されている。フランジユニット１８は、例えば樹脂製で、タンクホール２２を閉鎖する円板状の蓋部材５３を備えている。蓋部材５３には、燃料吐出管５４及び電気コネクタ５５等が設けられている。蓋部材５３の下面側において、燃料吐出管５４とプレッシャレギュレータ５０の吐出口５１とは、可撓性を有する蛇腹状のホース等からなる可撓管５７を介して接続されている。また、蓋部材５３の下面側において、蓋部材５３の電気コネクタ５５と燃料ポンプ３０の電気コネクタ（不図示）とは、可撓性を有するハーネス（不図示）を介して接続されている。また、図示しないが、蓋部材５３の上面側において、燃料吐出管５４には、内燃機関いわゆるエンジンにつながる燃料供給配管が接続される。また、電気コネクタ５５には、外部コネクタが接続される。なお、タンクホール２２に装着される直前のフランジユニット１８が図１に二点鎖線１８で示されている。
【００２５】
次に、前記したポンプユニット１６の作動を説明する。外部からの駆動電力により燃料ポンプ３０が駆動されると、サブタンク１４内の燃料が、燃料フィルタ４０から燃料ポンプ３０に吸入される。その燃料は、燃料ポンプ３０により昇圧された後、プレッシャレギュレータ５０により燃料圧力が調整されてから可撓管５７へ吐出される。その燃料は、フランジユニット１８の燃料吐出管５４からエンジンへと供給される。なお、ポンプユニット１６とフランジユニット１８とにより、タンク本体１２内に貯留された燃料をエンジンに供給する燃料供給装置が構成されている。
【００２６】
次に、サブタンク１４に対するポンプユニット１６の取付構造について説明する。図５に示すように、サブタンク１４において、両側板部２５の外側面には、前後の位置決め溝６０が平行状に形成されている。位置決め溝６０は、所定の溝幅（前後方向の幅）を有し、上下方向に延在している。位置決め溝６０は、側板部２５の外側面に平行する溝側面６１と、側板部２５の外側面と溝側面６１とを接続する段付状の前後一対の段付面６２とを有している（図７参照）。位置決め溝６０は、上端開口部が入口側となっている。両段付面６２の上端部には、相互間の間隔すなわち開口幅を上方に向かって次第に大きくするテーパー状の前後の傾斜面６３が形成されている。傾斜面６３は、上下方向に対して前後方向に傾斜している。側板部２５において、位置決め溝６０を形成する部分により案内部６５が構成されている。両側板部２５は、左右対称状に形成されている（図７参照）。なお、傾斜面６３は本明細書でいう「傾斜部」に相当する。また、案内部６５は本明細書でいう「案内部材」に相当する。また、案内部６５の溝側面６１を形成する板状部分を支持板部６６という。
【００２７】
位置決め溝６０の溝側面６１の中央部には、側面視で四角形状の係合突起６７が形成されている。係合突起６７は、上端から先端に向かって次第に下降する傾斜面６８を有している（図６参照）。なお、係合突起６７は本明細書でいう「被係合部」、「係合凸部」に相当する。
【００２８】
図６に示すように、マウント２８において、取付板部３２の左右の側端部には、前後の可撓片７０が左右対称状に設けられている（図８参照）。可撓片７０は、取付板部３２の側端部から下方へ垂下する縦長四角形板状に形成されている（図５参照）。可撓片７０は、板厚方向すなわち左右方向に弾性変形いわゆる撓み変形可能に形成されており、可撓性を有している（図６中、実線１６の二点鎖線７０参照）。可撓片７０の基端部（上端部）は、取付板部３２の両側辺３４からはみ出さないように形成されている。すなわち、取付板部３２の両側辺３４がフラット化されており、前後方向すなわちマウント２８の長手方向に直線状に形成されている。図３に示すように、可撓片７０は、サブタンク１４の位置決め溝６０に対してその上方から嵌合可能に形成されている。可撓片７０は、案内部６５の位置決め溝６０の両段付面６２（傾斜面６３を除く）の相互間にほとんど隙間なく嵌合可能に形成されている。
【００２９】
図６に示すように、可撓片７０の先端部（下端部）には、外側方へ傾斜状に折れ曲がる斜片部７１が形成されている。斜片部７１の先端部の両隅角部７２は、Ｒ形状に形成されている（図５参照）。両隅角部７２のＲ形状は、テーパー形状に変更してもよい。なお、可撓片７０は本明細書でいう「案内部材」に相当する。また、斜片部７１の内側の傾斜面（符号、７３を付す）は本明細書でいう「傾斜部」に相当する。傾斜面７３は、上下方向に対して左右方向に傾斜している。
【００３０】
図５に示すように、可撓片７０には、板厚方向（図５において紙面表裏方向）に貫通する四角形孔状の係合孔７４が形成されている。係合孔７４は、可撓片７０の撓み変形（図６中、実線１６の二点鎖線７０参照）を利用してサブタンク１４の係合突起６７に係合可能に形成されている（図３及び図４参照）。なお、係合孔７４は本明細書でいう「係合部」、「係合凹部」に相当する。また、係合突起６７と係合孔７４とにより係合手段（符号、７５を付す）が構成されている（図３及び図４参照）。
【００３１】
図６に示すように、マウント２８の下面側には、横長四角形状の前後の案内板７６が平行状に形成されている。案内板７６は、左右の可撓片７０の間にそれぞれ配置されている。案内板７６は、マウント２８の取付板部３２及び台座部３３の下面側に垂下状に形成されている。案内板７６は、サブタンク１４の左右の支持板部６６の相互間にほとんど隙間なく嵌合可能に形成されている（図４参照）。案内板７６と可撓片７０との対向端面の間には、支持板部６６をほとんど隙間なく受け入れ可能な嵌合溝７８が形成されている。
【００３２】
図６に示すように、案内板７６の左右の側端面の下端部には、左右方向の幅を下方に向かって次第に小さくするテーパー状の傾斜面８０が形成されている。傾斜面８０は、上下方向に対して左右方向に傾斜している。案内板７６の傾斜面８０と可撓片７０の斜片部７１の傾斜面７３とは、サブタンク１４の支持板部６６の入口側の開口幅を大きくするテーパー状の一対の傾斜部を構成している。なお、案内板７６は本明細書でいう「案内部材」に相当する。また、傾斜面８０は本明細書でいう「傾斜部」に相当する。
【００３３】
次に、タンク本体１２に対するポンプユニット１６の取付方法について説明する（図２参照）。ポンプユニット１６の取付けは、例えば、作業者の手作業で行われる。作業者は、ポンプユニット１６を、タンク本体１２の上方からタンクホール２２内に挿入する。このとき、ポンプユニット１６は、前部を下方に向けた垂直姿勢でタンクホール２２を通過させる（図２中、二点鎖線１６（Ａ）参照）。タンク本体１２内に挿入したポンプユニット１６を、前部を前方に向けた水平姿勢とし、サブタンク１４の上方に対応させる（図２中、二点鎖線１６（Ｂ）参照）。続いて、ポンプユニット１６を水平姿勢を保ちながら下降させることで、サブタンク１４に対してマウント２８が係合手段７５の係合によって取付けられる（図２中、実線１６参照）。その後、フランジユニット１８（図１中、二点鎖線１８参照）をタンク本体１２のタンクホール２２に装着することで、ポンプユニット１６の取付作業が完了する（図１参照）。
【００３４】
ところで、サブタンク１４にマウント２８を取付ける際には、水平姿勢のマウント２８（図５及び図６参照）を、サブタンク１４に対してラフに位置合せしつつ下降させていけばよい。すなわち、サブタンク１４に対してマウント２８が水平方向にずれていたり、マウント２８が傾いたりしていた場合には、案内部６５、可撓片７０及び案内板７６によって、マウント２８が適正な取付位置に案内される。すなわち、少なくとも１つの案内部６５の位置決め溝６０のいずれかの傾斜面６３に、その位置決め溝６０に対応する可撓片７０（斜片部７１を除く）の下端部が当接した場合には、傾斜面６３に対して可撓片７０が摺動しながら下降していくことによって、位置決め溝６０に可撓片７０が適正に嵌合される。これにより、可撓片７０が前後方向に位置決めされる（図３参照）。
【００３５】
また、少なくとも１つの可撓片７０の斜片部７１の傾斜面７３が、その可撓片７０に対応するサブタンク１４の支持板部６６の上端部に当接した場合（図６中、二点鎖線１６（Ｃ）の符号７３参照）には、支持板部６６の上端部に対して斜片部７１の傾斜面７３が摺動しながら下降していくことによって、嵌合溝７８に支持板部６６が適正に嵌合される（図４参照）。また、少なくとも１つの案内板７６の傾斜面８０に、その傾斜面８０に対応するサブタンク１４の支持板部６６の上端部が当接した場合（図６中、二点鎖線１６（Ｃ）の符号８０参照）には、支持板部６６の上端部に対して案内板７６の傾斜面８０が摺動しながら下降していくことによって、嵌合溝７８に支持板部６６が適正に嵌合される（図４参照）。これと同時に、左右の支持板部６６の相互間に案内板７６が適正に嵌合される。これにより、可撓片７０及び案内板７６が左右方向に位置決めされる（図４参照）。
【００３６】
可撓片７０の前後方向の位置決めと、可撓片７０及び案内板７６の左右方向の位置決めとによって、マウント２８が水平方向に位置決めされる。また、サブタンク１４の左右の支持板部６６上に、両嵌合溝７８の上端面すなわちマウント２８の取付板部３２の左右の側端部が当接することによって、マウント２８がサブタンク１４に支持される。
【００３７】
また、サブタンク１４に対する取付完了直前において、サブタンク１４の各係合突起６７の傾斜面６８（図６参照）にマウント２８の各可撓片７０の斜片部７１が当接しかつ摺動しながら下降していくことにより、各可撓片７０が外側方へ撓み変形（図６中、実線１６の二点鎖線７０参照）されていく。そして、各係合突起６７に各可撓片７０の係合孔７４が整合すると同時に、各可撓片７０が弾性復元し、各係合突起６７に各係合孔７４が係合する（図４参照）。このようにして、係合突起６７と係合孔７４とが可撓片７０の弾性を利用して係合いわゆるスナップフィット係合することにより、サブタンク１４に対してマウント２８が抜け止めされる。
【００３８】
また、燃料フィルタ４０の交換、燃料ポンプ３０の修理、交換等に際して、ポンプユニット１６を取外したい場合がある。そのような場合には、タンク本体１２のタンクホール２２からフランジユニット１８を取外した後、マウント２８の各可撓片７０を撓み変形（図６中、実線１６の二点鎖線７０参照）を利用して拡開させ、係合突起６７に対する係合孔７４の係合を解除する。この状態で、マウント２８を、水平姿勢のまま上昇させた後、挿入時とは逆順でタンクホール２２から取出せばよい。
【００３９】
前記した燃料タンク１０によると、タンク本体１２のタンクホール２２からポンプユニット１６が挿入され、サブタンク１４の上方からマウント２８が下降されることにより、係合手段７５の係合突起６７に係合孔７４が係合される。これによって、サブタンク１４にマウント２８が取付けられる。ところで、マウント２８を適正な取付位置に案内する案内部６５、可撓片７０及び案内板７６を備えている。このため、サブタンク１４にマウント２８を係合手段７５を介して取付ける際に、サブタンク１４にマウント２８をラフに位置合せしつつ係合させていくことで、案内部６５、可撓片７０及び案内板７６によりマウント２８が適正な取付位置に案内され、係合手段７５の係合突起６７に係合孔７４が容易にかつ適正に係合される。したがって、タンク本体１２に対するポンプユニット１６の取付作業がブラインド作業であっても、タンク本体１２にポンプユニット１６を短時間でかつ確実に取付けることができる。よって、タンク本体１２に対するポンプユニット１６の取付作業性を向上することができる。
【００４０】
また、サブタンク１４の案内部６５の傾斜面６３とマウント２８の可撓片７０との摺動接触によって、マウント２８を適正な取付位置に案内することができる。この場合、可撓片７０は本明細書でいう「他方の部材の一部」に相当する。また、マウント２８の可撓片７０の斜片部７１の傾斜面７３とサブタンク１４の案内部６５の支持板部６６との摺動接触によって、マウント２８を適正な取付位置に案内することができる。この場合、支持板部６６は本明細書でいう「他方の部材の一部」に相当する。また、マウント２８の案内板７６の傾斜面８０とサブタンク１４の案内部６５の支持板部６６との摺動接触によって、マウント２８を適正な取付位置に案内することができる。この場合、支持板部６６は本明細書でいう「他方の部材の一部」に相当する。
【００４１】
また、サブタンク１４の案内部６５は、マウント２８の可撓片７０の入口側（上端側）の開口幅を大きくするテーパー状の一対の傾斜面６３を有している。したがって、案内部６５の一対の傾斜面６３の開口幅方向すなわち前後方向に関して、マウント２８を適正な取付位置に案内することができる。
【００４２】
また、サブタンク１４をユニット取付部材と兼用することによって、部品点数の増加を抑制することができる。
【００４３】
また、サブタンク１４が有する左右一対の側板部２５に対して、マウント２８の両側端部（左右の側端部）がそれぞれ係合手段７５を介して取付けられる。したがって、サブタンク１４の一対の側板部２５にマウント２８の両側端部をそれぞれ係合手段７５を介して取付けることができる。
【００４４】
また、タンク本体１２のタンクホール２２に対するマウント２８の挿入方向（挿入する状態で下上方向が相当し、水平状態では前後方向が相当する）の両側辺３４が、挿入方向に沿って延びる直線状に形成されている。したがって、タンク本体１２のタンクホール２２に対するポンプユニット１６の挿入時（図２中、二点鎖線１６（Ａ）参照）において、タンク本体１２のタンクホール２２にマウント２８の両側辺３４が引っ掛かることを抑制することができる。これにより、タンク本体１２内にポンプユニット１６を容易に挿入することができる。また、タンク本体１２のタンクホール２２に対するマウント２８の引っ掛かりによるポンプユニット１６の燃料ポンプ３０等の構成部品の破損やマウント２８のバリ等の異物の発生を抑制することができる。また、ポンプユニット１６の取出し時には、タンク本体１２内からポンプユニット１６を容易に取出すことができる。
【００４５】
また、タンク本体１２にマウント２８が脱着可能に取付けられるため、メンテナンス性を向上することができる。
【００４６】
また、マウント２８の取付板部３２の前側の左右の隅角部３７は、Ｒ形状に形成されている（図８参照）。このため、タンクホール２２に対するマウント２８すなわちポンプユニット１６の挿入作業性を向上することができる。また、マウント２８の取付板部３２の後側の左右の隅角部３８（図８参照）は、Ｒ形状に形成されている。このため、タンクホール２２に対するマウント２８すなわちポンプユニット１６の取出し作業性を向上することができる。なお、前側の両隅角部３７及び／又は後側の両隅角部３８のＲ形状は、テーパー形状に変更してもよい。また、本明細書ではＲ形状、テーパー形状を総称して傾斜状という。
【００４７】
［実施形態２］実施形態２は、実施形態１のマウント２８に変更を加えたものであるから、その変更部分について説明し、重複する説明は省略する。図９はポンプユニットの取付け状態を示す正面図である。図９に示すように、マウント（符号、８２を付す）は、実施形態１におけるマウント２８（図４参照）から台座部３３、及び、台座部３３の下面側に連続する案内板７６の中央部分が切除されている。その切除された部分を、切除部８３という。このため、案内板７６（図４参照）は、左右の傾斜面８０を含む左右の案内片８４に分割されている。したがって、実施形態２によると、切除部８３を形成したことにより、マウント８２を計量化することができる。なお、案内片８４は本明細書でいう「案内部材」に相当する。
【００４８】
［実施形態３］実施形態３は、実施形態１のマウント２８に変更を加えたものであるから、その変更部分について説明し、重複する説明は省略する。図１０は燃料タンクのポンプユニットの周辺部を示す側面図、図１１はサブタンクに対するポンプユニットの取付直前の状態を示す側面図、図１２はマウントを示す下面図である。図１１に示すように、マウント２８には、左右一対で前後２組のフィルタ保持片８６が形成されている（図１２参照）。前後のフィルタ保持片８６は、前後対称状に形成されている。フィルタ保持片８６は、取付板部３２から前方又は後方へ延出された突出片部８７と、突出片部８７の先端部から下方へ垂下された垂下片部８８と、垂下片部８８の下端部から後方へ突出された受止片部８９とを有している。
【００４９】
前側の両フィルタ保持片８６の受止片部８９に、燃料フィルタ４０のフィルタ部材４２のフランジ状部４７の前縁部分が受止められている。また、後側の両フィルタ保持片８６の受止片部８９に、燃料フィルタ４０のフィルタ部材４２のフランジ状部４７の後縁部分が受止められている。これにより、マウント２８に対してフィルタ部材４２を安定的に保持することができる。また、サブタンク１４にポンプユニット１６を取付けた状態では、前側のフィルタ保持片８６（突出片部８７を除く）が、サブタンク１４内に収容されている（図１０参照）。
【００５０】
［実施形態４］実施形態４は、実施形態３のサブタンク１４に変更を加えたものであるから、その変更部分について説明し、重複する説明は省略する。図１３は燃料タンクのポンプユニットの周辺部を示す側面図、図１４はサブタンクに対するポンプユニットの取付直前の状態を示す側面図、図１５はサブタンクを示す平面図である。図１４に示すように、サブタンク１４は、マウント２８の前後のフィルタ保持片８６（突出片部８７を除く）を収容可能な容器状に形成されている（図１３参照）。すなわち、図１５に示すように、サブタンク１４の底板部２４及び両側板部２５が後方へ延出されているとともに、後方開口部を閉鎖する後板部９１が形成されている（図１４参照）。したがって、サブタンク１４内にポンプユニット１６の燃料フィルタ４０及び各フィルタ保持片８６を含む部分を収容することができる（図１３参照）。また、サブタンク１４に貯留した燃料の流出を抑制することができる。
【００５１】
［実施形態５］実施形態５は、実施形態１の係合手段７５を変更したものであるから、その変更部分について説明し、重複する説明は省略する。図１６はサブタンクに対するポンプユニットの取付直前の状態を示す一部破断して示す正面図、図１７は係合手段を一部破断して示す正断面図、図１８は同じく側面図である。図１６に示すように、サブタンク１４の両側板部２５は、案内部６５（図５〜図７参照）が省略された平板状に形成されている。サブタンク１４の両側板部２５上には、上方へ突出する支持板９３が形成されている。両支持板９３は、左右対称状に形成されている。
【００５２】
図１８に示すように、支持板９３は、側板部２５上に形成されかつ側面視で縦長四角形状に形成されている。支持板９３の上部には、前後方向の幅を上方へ向かって次第に小さくするテーパー状の前後の傾斜面９４が形成されている。傾斜面９４は、上下方向に対して前後方向に傾斜している。支持板９３の外側面の中央部には、実施形態１の係合突起６７（図６及び図７参照）と同様の係合突起（符号、９６を付す）が形成されている（図１７参照）。なお、支持板９３は本明細書でいう「案内部材」に相当する。また、傾斜面９４は本明細書でいう「傾斜部」に相当する。また、係合突起９６は本明細書でいう「被係合部」、「係合凸部」に相当する。
【００５３】
図１６に示すように、マウント２８の取付板部３２の左右の側端部上には、前後方向を長くする角筒状の嵌合筒１００が左右対称状に形成されている。嵌合筒１００は、取付板部３２の左右の側端部上に、その中空部が上下方向に貫通するように形成されている（図１７参照）。嵌合筒１００の下端部には、前後の開口幅を下方に向かって次第に大きくするテーパー状の前後の傾斜面１０２が前後対称状に形成されている（図１８参照）。傾斜面１０２は、上下方向に対して前後方向に傾斜している。嵌合筒１００（傾斜面１０２を除く）は、サブタンク１４の支持板９３（傾斜面９４を除く）に対してほとんど隙間なく嵌合可能に形成されている。嵌合筒１００の外壁部（符号、１０４を付す）は、板厚方向すなわち左右方向に弾性変形いわゆる撓み変形可能に形成されており、可撓性を有している。また、案内板７６は、サブタンク１４の左右の側板部２５（支持板９３を含む）の相互間にほとんど隙間なく嵌合可能に形成されている（図１６及び図１７中、二点鎖線７６参照）。
【００５４】
図１７に示すように、嵌合筒１００の外壁部１０４の先端部（下端部）には、外側方へ傾斜状に折れ曲がる斜片部１０５が形成されている。図１８に示すように、斜片部１０５の先端部の両隅角部１０６は、テーパー形状に形成されている。両隅角部１０６のテーパー形状は、Ｒ形状に変更してもよい。嵌合筒１００の外壁部１０４には、実施形態１の係合孔７４（図４及び図５参照）と同様の係合孔（符号、１０９を付す）が形成されている（図１７及び図１８参照）。係合孔１０９は、嵌合筒１００の外壁部１０４の撓み変形を利用してサブタンク１４の係合突起９６に係合可能に形成されている。なお、嵌合筒１００は本明細書でいう「案内部材」に相当する。また、斜片部１０５の内側の傾斜面（図１７に符号、１０７を付す）は本明細書でいう「傾斜部」に相当する。傾斜面１０７は、上下方向に対して左右方向に傾斜している。また、係合孔１０９は本明細書でいう「係合部」、「係合凹部」に相当する。また、係合突起９６と係合孔１０９とにより係合手段１１０が構成されている。
【００５５】
図１６〜図１８において、サブタンク１４にマウント２８を取付ける際に、サブタンク１４に対してマウント２８の位置がずれていたり、マウント２８が傾いたりしていた場合には、支持板９３、嵌合筒１００及び案内板７６によって、マウント２８が適正な取付位置に案内される。すなわち、少なくとも１つの支持板９３のいずれかの傾斜面９４に、その支持板９３に対応する嵌合筒１００の傾斜面１０２が当接した場合には、傾斜面９４に対して嵌合筒１００の傾斜面１０２が摺動しながら下降していくことによって、支持板９３に嵌合筒１００が適正に嵌合される。これにより、嵌合筒１００が前後方向に位置決めされる。
【００５６】
また、少なくとも１つの嵌合筒１００の斜片部１０５の傾斜面１０７に、その嵌合筒１００に対応するサブタンク１４の支持板９３の上端部が当接した場合には、支持板９３の上端部に対して斜片部１０５の傾斜面１０７が摺動しながら下降していくことによって、支持板９３に嵌合筒１００が適正に嵌合される。これにより、嵌合筒１００が左右方向に位置決めされる。
【００５７】
また、案内板７６の傾斜面８０に、その傾斜面８０に対応するサブタンク１４の支持板９３の上端部が当接した場合には、支持板９３の上端部に対して案内板７６の傾斜面８０が摺動しながら下降していくことによって、左右の支持板９３の相互間に案内板７６が適正に嵌合される。これにより、案内板７６が左右方向に位置決めされる。
【００５８】
嵌合筒１００の前後方向の位置決めと、嵌合筒１００及び案内板７６の左右方向の位置決めとによって、マウント２８が水平方向に位置決めされる。また、サブタンク１４の左右の側板部２５上に、各嵌合筒１００の下端面が当接することによって、マウント２８がサブタンク１４に支持される（図１６〜図１８中、二点鎖線２８参照）。
【００５９】
また、実施形態１と同様に、サブタンク１４の各係合突起９６に各嵌合筒１００の係合孔１０９が嵌合筒１００の外壁部１０４の弾性を利用して係合いわゆるスナップフィット係合することにより、サブタンク１４に対してマウント２８が抜け止めされる。なお、サブタンク１４にマウント２８を取付けた状態が、図１６〜図１８に二点鎖線２８で示されている。
【００６０】
前記した燃料タンク１０によると、マウント２８を適正な取付位置に案内する支持板９３、嵌合筒１００及び案内板７６を備えている。このため、サブタンク１４にマウント２８を係合手段１１０を介して取付ける際に、サブタンク１４にマウント２８をラフに位置合せしつつ係合させていくことで、支持板９３、嵌合筒１００及び案内板７６によりマウント２８が適正な取付位置に案内され、係合手段１１０の係合突起９６に係合孔１０９が容易にかつ適正に係合される。したがって、タンク本体１２に対するポンプユニット１６の取付作業がブラインド作業であっても、タンク本体１２にポンプユニット１６を短時間でかつ確実に取付けることができる。よって、タンク本体１２に対するポンプユニット１６の取付作業性を向上することができる。
【００６１】
また、サブタンク１４の支持板９３の傾斜面９４とマウント２８の嵌合筒１００の傾斜面１０２との摺動接触によって、マウント２８を適正な取付位置に案内することができる。この場合、支持板９３に対する嵌合筒１００は本明細書でいう「他方の部材の一部」に相当する。また、嵌合筒１００に対する支持板９３は本明細書でいう「他方の部材の一部」に相当する。また、マウント２８の嵌合筒１００の外壁部１０４の傾斜面１０７とサブタンク１４の支持板９３との摺動接触によって、マウント２８を適正な取付位置に案内することができる。この場合、支持板９３は本明細書でいう「他方の部材の一部」に相当する。また、マウント２８の案内板７６の傾斜面８０とサブタンク１４の支持板９３との摺動接触によって、マウント２８を適正な取付位置に案内することができる。この場合、支持板９３は本明細書でいう「他方の部材の一部」に相当する。
【００６２】
また、サブタンク１４の支持板９３は、マウント２８の嵌合筒１００の嵌合側（上端側）の開口幅を小さくするテーパー状の一対の傾斜面９４を有している。したがって、支持板９３の一対の傾斜面９４の幅方向（前後方向）に関して、マウント２８を適正な取付位置に案内することができる。
【００６３】
［実施形態６］実施形態６は、実施形態５の係合手段１１０を変更したものであるから、その変更部分について説明し、重複する説明は省略する。図１９はサブタンクに対するポンプユニットの取付直前の状態を示す一部破断して示す正面図、図２０は係合手段を一部破断して示す正断面図、図２１は同じく側面図、図２２はサブタンクを示す平面図、図２３はマウントを示す下面図である。図１９に示すように、サブタンク１４には、両側板部２５の内側面に隣接する支持ピン１１２が立設されている。支持ピン１１２は、上下方向に延びる軸線を有している。両支持ピン１１２は、左右対称状にかつ前後２組設けられている（図２２参照）。
【００６４】
図２０及び図２１に示すように、支持ピン１１２は、上下２段の段付軸状に形成されており、大径軸部１１３と小径軸部１１４とを有している。大径軸部１１３の下部は、側板部２５の内側面に結合されている。大径軸部１１３の上部は、サブタンク１４の両側板部２５上に突出されている。大径軸部１１３の先端隅角部にはＲ形状の傾斜部１１５が形成されている。傾斜部１１５は、Ｒ形状に限らず、テーパー形状でもよい。また、小径軸部１１４の先端部（上端部）には、Ｒ形状の傾斜部１１６が形成されている。傾斜部１１６は、Ｒ形状に限らず、テーパー形状でもよい。傾斜部１１５，１１６は、上下方向に対して全周に亘って傾斜している。大径軸部１１３の上部における外側面の中央部には、実施形態５の係合突起９６（図１７及び図１８参照）と同様の係合突起（符号、１１８を付す）が形成されている（図２０及び図２１参照）。なお、支持ピン１１２は本明細書でいう「案内部材」に相当する。また、係合突起１１８は本明細書でいう「被係合部」、「係合凸部」に相当する。
【００６５】
図１９に示すように、マウント２８の取付板部３２の左右の側端部上には、円筒状の嵌合筒１２１が左右対称状にかつ前後２組設けられている（図２３参照）。嵌合筒１２１は、その中空部が上下方向に貫通するように取付板部３２の左右の側端部上に形成されている。嵌合筒１２１の下端部には、開口径（内径）を下方に向かって次第に大きくするテーパー状の傾斜部１２２が形成されている（図２０及び図２１参照）。傾斜部１２２は、上下方向に対して全周に亘って傾斜している。嵌合筒１２１（傾斜部１２２を除く）は、支持ピン１１２の大径軸部１１３（傾斜部１１５を除く）に対してほとんど隙間なく嵌合可能に形成されている。嵌合筒１２１は、半径方向に弾性変形いわゆる撓み変形可能に形成されており、可撓性を有している。嵌合筒１２１の外側部には、実施形態５の係合孔１０９（図１７及び図１８参照）と同様の係合孔（符号、１２５を付す）が形成されている（図２０及び図２１参照）。係合孔１２５は、嵌合筒１２１の撓み変形を利用してサブタンク１４の係合突起１１８に係合可能に形成されている。なお、嵌合筒１２１は本明細書でいう「案内部材」、「嵌合部材」に相当する。また、係合孔１２５は本明細書でいう「係合部」、「係合凹部」に相当する。また、係合突起１１８と係合孔１２５とにより係合手段１２６が構成されている。また、実施形態６において、実施形態５におけるマウント２８の案内板７６（図１６参照）は省略されている（図１９参照）。
【００６６】
図１９〜図２１において、サブタンク１４にマウント２８を取付ける際に、サブタンク１４に対してマウント２８の位置がずれていたり、マウント２８が傾いたりしていた場合には、支持ピン１１２の小径軸部１１４の傾斜部１１６、大径軸部１１３の傾斜部１１５、嵌合筒１２１の傾斜部１２２によって、マウント２８が適正な取付位置に案内される。すなわち、少なくとも１つの支持ピン１１２の小径軸部１１４の傾斜部１１６に、その支持ピン１１２の小径軸部１１４に対応する嵌合筒１２１の傾斜部１２２が当接した場合には、傾斜部１１６に対して嵌合筒１２１の傾斜部１２２が摺動しながら下降していく。さらに、大径軸部１１３の傾斜部１１５に対して嵌合筒１２１の傾斜部１２２が摺動しながら下降していくことによって、支持ピン１１２の大径軸部１１３に嵌合筒１２１が適正に嵌合される。これにより、嵌合筒１２１が前後方向及び左右方向に位置決めされる。また、サブタンク１４の左右の側板部２５上に、嵌合筒１２１の下端面が当接することによって、マウント２８がサブタンク１４に支持される（図１９〜図２１中、二点鎖線２８参照）。
【００６７】
また、実施形態５と同様に、サブタンク１４の各係合突起１１８に各嵌合筒１２１の係合孔１２５が嵌合筒１２１の弾性を利用して係合いわゆるスナップフィット係合することにより、サブタンク１４に対してマウント２８が抜け止めされる。なお、サブタンク１４にマウント２８を取付けた状態が、図１９〜図２１に二点鎖線２８で示されている。
【００６８】
前記した燃料タンク１０によると、マウント２８を適正な取付位置に案内する支持ピン１１２及び嵌合筒１２１を備えている。このため、サブタンク１４にマウント２８を係合手段１２６を介して取付ける際に、サブタンク１４にマウント２８をラフに位置合せしつつ係合させていくことで、支持ピン１１２及び嵌合筒１２１によりマウント２８が適正な取付位置に案内され、係合手段１２６の係合突起１１８に係合孔１２５が容易にかつ適正に係合される。したがって、タンク本体１２に対するポンプユニット１６の取付作業がブラインド作業であっても、タンク本体１２にポンプユニット１６を短時間でかつ確実に取付けることができる。よって、タンク本体１２に対するポンプユニット１６の取付作業性を向上することができる。
【００６９】
また、サブタンク１４の支持ピン１１２の傾斜部１１５，１１６とマウント２８の嵌合筒１２１の傾斜部１２２との摺動接触によって、マウント２８を適正な取付位置に案内することができる。この場合、支持ピン１１２に対する嵌合筒１２１は本明細書でいう「他方の部材の一部」に相当する。また、嵌合筒１２１に対する支持ピン１１２は本明細書でいう「他方の部材の一部」に相当する。
【００７０】
また、支持ピン１１２と嵌合筒１２１とを嵌合する際、支持ピン１１２及び嵌合筒１２１を案内部材として、マウント２８を適正な取付位置に案内することができる。
【００７１】
［他の実施形態］本発明は実施形態に限定されるものではなく、本発明の要旨を逸脱しない範囲における変更が可能である。例えば、ポンプユニット１６のマウント２８に搭載される部品を増加してもよい。例えば、増加する部品としては、燃料残量を検出する燃料残量検出装置、サブタンク１４外の燃料をタンク内へ移送するジェットポンプ、タンク本体１２内の圧力を検出する圧力センサ等が挙げられる。また、係合手段の個数は、増減してもよい。また、サブタンク１４に代え、ポンプユニット１６専用のユニット取付部材をタンク本体１２に設けてもよい。また、係合手段の被係合部をマウント側に配置し、係合部をサブタンク側に配置してもよい。また、係合手段は、被係合部の周辺部の弾性、係合孔の周辺部の弾性のうちの少なくとも一方の弾性を利用して係合するものであればよい。また、案内部材の傾斜部は、傾斜面に限らず、Ｒ形状等の円弧状面でもよい。また、支持板９３又は嵌合筒１００の一方の部材のみを案内部材としてもよい。また、支持板９３をマウント２８に設け、嵌合筒１００をサブタンク１４に設けてもよい。また、支持ピン１１２又は嵌合筒１２１の一方の部材のみを案内部材としてもよい。また、支持ピン１１２をマウント２８に設け、嵌合筒１２１をサブタンク１４に設けてもよい。また、サブタンク１４に対するポンプユニット１６の取付けは、作業者の手作業に限らず、ロボット装置等によって自動化してもよい。
【符号の説明】
【００７２】
１０…燃料タンク
１２…タンク本体
１４…サブタンク（ユニット取付部材）
１６…ポンプユニット
２０…上面部
２２…タンクホール（開口部）
２５…側板部
２８…マウント（ポンプ保持部材）
３０…燃料ポンプ
３４…側辺
６３…傾斜面（傾斜部）
６５…案内部（案内部材）
６６…支持板部（他方の部材の一部）
６７…係合突起（被係合部、係合凸部）
７０…可撓片
７１…斜片部
７３…傾斜面（傾斜部）
７４…係合孔（係合部、係合凹部）
７５…係合手段
７６…案内板（案内部材）
７８…嵌合溝
８０…傾斜面（傾斜部）
８２…マウント（ポンプ保持部材）
８４…案内片（案内部材）
９３…支持板（案内部材）
９４…傾斜面（傾斜部）
９６…係合突起（被係合部、係合凸部）
１００…嵌合筒（案内部材）
１０５…斜片部
１０７…傾斜面（傾斜部）
１０９…係合孔（係合部、係合凹部）
１１０…係合手段
１１２…支持ピン（案内部材）
１１５…傾斜部
１１６…傾斜部
１１８…係合突起（被係合部、係合凸部）
１２１…嵌合筒（案内部材、嵌合部材）
１２２…傾斜部
１２５…係合孔（係合部、係合凹部）
１２６…係合手段
【図１】
2016164387.tif 000003
【図２】
2016164387.tif 000004
【図３】
2016164387.tif 000005
【図４】
2016164387.tif 000006
【図５】
2016164387.tif 000007
【図６】
2016164387.tif 000008
【図７】
2016164387.tif 000009
【図８】
2016164387.tif 000010
【図９】
2016164387.tif 000011
【図１０】
2016164387.tif 000012
【図１１】
2016164387.tif 000013
【図１２】
2016164387.tif 000014
【図１３】
2016164387.tif 000015
【図１４】
2016164387.tif 000016
【図１５】
2016164387.tif 000017
【図１６】
2016164387.tif 000018
【図１７】
2016164387.tif 000019
【図１８】
2016164387.tif 000020
【図１９】
2016164387.tif 000021
【図２０】
2016164387.tif 000022
【図２１】
2016164387.tif 000023
【図２２】
2016164387.tif 000024
【図２３】
2016164387.tif 000025